(57)【要約】【課題】苗代内作業時に苗箱運搬車のハンドル握り部が作業者に邪魔にならないような苗箱運搬車を提供する。【解決手段】作業者２名で牽引するハンドルを両端に設けた苗箱運搬車において、ハンドル座に切欠部２２Ａを設け、該切欠部２２Ａと、ハンドル後端部に設けたリベットが嵌合することにより、ハンドルが固定され牽引することができ、まら、ハンドルとリベットの嵌合を外した場合には、車体下部に収納又は車体前方側に引き出し自在となっている。【選択図】図１
2011207246.tif 000002
【特許請求の範囲】
【請求項１】
苗箱を載せる苗箱受けと、苗箱受けを支持する車体フレームと、車体フレームの両端にそれぞれ設置された車輪と、前記苗箱受け又は／及び車体フレームに固定された一対のハンドル座と、各ハンドル座に設置された運搬操作用の一対のハンドルからなり、前記ハンドルは前記ハンドル座に軸方向に摺動自在に支持された軸部とその前端に形成された握り部を有し、車体下部に収納又は車体前方側に引き出し自在となっていることを特徴とする苗箱運搬台車。
【請求項２】
前記車輪とともに前記車体フレームを支える一対のスタンドを有し、前記スタンドは下端の地面接地部が前記車輪の車軸より前方側に配置されていることを特徴とする請求項１に記載された苗箱運搬台車。
【請求項３】
前記ハンドル座は前記車輪の車軸より前方側に配置され、前記ハンドルを車体下部に収納したとき、前記軸部の後端が前記車軸より後方側に位置し地面接地部となることを特徴とする請求項１又は２に記載された苗箱運搬台車。
【請求項４】
前記ハンドルは、前記軸部が前記ハンドル座に軸方向に摺動自在かつ回動自在に支持され、前記軸部の前端が屈曲して前記握り部が形成されていることを特徴とする請求項１〜３のいずれかに記載された苗箱運搬台車。
【請求項５】
前記ハンドルの軸部の後端部に前記軸部を貫通し先端が突出するピン部材が固定され、前記ハンドル座に前記ピン部材の先端が嵌入する切り欠き部が形成され、前方側に引き出したハンドルを前記握り部が外向きになる位置に回動させたとき前記リベットの先端が前記切り欠き部に嵌入することを特徴とする請求項４に記載された苗箱運搬台車。
【発明の詳細な説明】
【技術分野】
【０００１】
本発明は、種籾を播種した移植機用の苗箱を、圃場に設けた苗代に対して並べる時や回収時に使用する苗箱運搬車に関する。
【背景技術】
【０００２】
従来、この種の苗箱運搬車として、例えば特許文献１が知られている。
【０００３】
上記従来の苗箱運搬車を図５に示す。この苗箱運搬車５０は、左右２箇所に苗載台５１、５１を有し、苗載台５１、５１は連結杆５２によって左右に移動自在なように連結されており、それら苗載台５１、５１には外側に張り出すよう車軸５３が固定して設けられており、その先端には前後方向に走行自在な車輪５４が設けられている。また、苗載台５１、５１には平地において苗載台５１、５１を水平支持するためのスタンド５５と操縦用のハンドル５６、５６が設けられている。ハンドル５６，５６も、苗載台５１、５１の移動に伴って、左右に移動する。運搬時には、左右のハンドルをそれぞれ作業者が把持して、引っ張り運搬する。
【先行技術文献】
【特許文献】
【０００４】
【特許文献１】特開昭６４−７８９７４号公報
【発明の概要】
【発明が解決しようとする課題】
【０００５】
図５に示す苗箱運搬車は、圃場内で苗箱を苗代に並べる為、苗箱運搬車を停止させる際に、前方に長く伸び外向きに大きく屈曲したハンドルが作業者の移動の邪魔になっていた。さらには、同じく圃場内で苗箱運搬車を停止させる際、複数の苗箱を積み上げた一対のスタンド５５、５５と車輪５４、５４によって支持されるのみで、車輪とスタンドの距離が近く非常にバランスが悪く、転倒するおそれがありその点で改良の余地がある。
【０００６】
よって、本件は苗箱運搬車において、苗箱運搬車を圃場に置き、苗代に苗箱を並べる際に、ハンドルが作業者の移動の邪魔にならない苗箱運搬台車を提供することを主たる課題とし、機体のバランスを保ち転倒を防止することを他の課題とする。
【課題を解決するための手段】
【０００７】
前記課題を解決するため、本発明は、苗箱を載せる苗箱受けと、苗箱受けを支持する車体フレームと、車体フレームの両端にそれぞれ設置された車輪と、前記苗箱受け又は／及び車体フレームに固定された一対のハンドル座と、各ハンドル座に設置された運搬操作用の一対のハンドルからなり、前記ハンドルは前記ハンドル座に軸方向に摺動自在に支持された軸部とその前端に形成された握り部を有し、車体下部に収納又は車体前方側に引き出し自在となっていることを特徴とする苗箱運搬台車を提供している。
【０００８】
上記構成によれば、車体に一対のハンドルが設置されており、苗代内で苗箱を運搬する際に、苗箱運搬車を停止させハンドルを押し込み、車体下部に収納状態にすることができるので、苗箱設置時等に作業者が作業位置に移動する場合、ハンドル（特に前端部）が邪魔にならず作業できる。
【０００９】
本発明は、前記車輪とともに前記車体フレームを支える一対のスタンドを有し、前記スタンドは下端の地面接地部が前記車輪の車軸より前方側に配置されていることを特徴とすることが好ましい。
【００１０】
本発明は、前記ハンドル座は前記車輪の車軸より前方側に配置され、前記ハンドルを車体下部に収納したとき、前記軸部の後端が前記車軸より後方側に位置し地面接地部となる構成とすることが好ましい。
【００１１】
上記構成によれば、圃場内等で苗箱運搬車が停止している際でも、苗箱運搬車を車輪とハンドル後端部で支持でき、スタンドを設置した場合は片側３点支持（両側６点支持）できるので、機体がしっかりと支えられ苗箱運搬車のバランスを保つので、苗箱を載せる時に機体が転倒する危険がなくなる。
【００１２】
本発明は、前記ハンドルは、前記軸部が前記ハンドル座に軸方向に摺動自在かつ回動自在に支持され、前記軸部の前端が屈曲して前記握り部が形成されていることを特徴とすることが好ましい。
【００１３】
上記構成によれば、ハンドルを押し込むとともに回転させることにより、苗箱運搬車を停止させている際に、ハンドル先端を下方に向けることにより作業者の邪魔にならない。
【００１４】
本発明は、前記ハンドルの軸部の後端部に前記軸部を貫通し先端が突出するピン部材が固定され、前記ハンドル座に前記ピン部材の先端が嵌入する切り欠き部が形成され、前方側に引き出したハンドルを前記握り部が外向きになる位置に回動させたとき前記リベットの先端が前記切り欠き部に嵌入することを特徴とすることが好ましい。
【００１５】
上記構成によれば、ハンドルを回転してピン部材をハンドル座の切り欠き部に係止させ、ハンドルの軸部軸方向への移動を固定することができる。これにより、苗箱運搬車を牽引時にハンドルを固定でき安定した牽引ができる。
【発明の効果】
【００１６】
本発明によれば、苗代内で苗箱を運搬する際に、ハンドルを車体下部に収納できるので、苗箱設置時等に作業者がハンドル側から後方の苗箱位置へ移動する場合、ハンドル（特に前端部）が邪魔にならず作業できる。
ハンドルの後端部を地面接地部とした場合、機体がしっかりと支えられるので、転倒防止となっている。
また、左右一対の互いに独立したハンドルが軸方向に回動自在としたことにより、ピン部材を切り欠き部に固定し安全な牽引ができるとともに、ハンドル収納時には、ハンドル先端部が下方へ向くので作業の邪魔にならない。
【図面の簡単な説明】
【００１７】
【図１】苗箱運搬車の斜視図である。
【図２】苗箱運搬車によるハンドル座の拡大部である。
【図３】苗箱運搬車のハンドルの収納過程である。
【図４】苗箱運搬車のハンドル収納時の斜視図である。
【図５】従来の苗箱運搬車である。
【発明を実施するための形態】
【００１８】
以下、本発明の実施形態にかかる苗箱運搬車について図面を参照して説明する。本発明において、ハンドル側を前方とする。
図１に示すように、苗箱運搬車１０は、両端に備えた苗箱受け１１Ａ、１１Ｂを支持する車体フレーム１２と、車体フレーム１２の先端に設けられた車輪１３Ａ、１３Ｂと、ハンドル座１４と、各ハンドル座１４に設置されたハンドル１５Ａ、１５Ｂからなる。前記車体フレーム１２は連結フレーム１２Ａ、１２Ｂ等からなり、苗箱受け１１Ａ、１１Ｂと連結フレーム１２Ａ、１２Ｂ及びハンドル座１４はそれぞれが溶接により固定され、ハンドル１５Ａ、１５Ｂの軸部がハンドル座１４のハンドル貫通部を貫通している。ハンドル座１４の外側にはスタンド１６Ａ、１６Ｂが設置されている。
【００１９】
車軸がパイプ状の連結フレーム１２Ａ、１２Ｂの両端下方に固定され、この車軸に車輪１３Ａ、１３Ｂが回転自在に支持されている。
【００２０】
連結フレーム１２Ａ、１２Ｂには、車体の強度を上げるため、車体フレーム１２の一部として補強部材１８Ａ、１８Ｂが溶接固定されており、補強部材１８Ａ、１８Ｂと苗箱受け１１Ａ、１１Ｂにハンドル座１４が溶接固定されている。苗箱受け１１Ａ（１１Ｂ）と連結フレーム１２Ａ（１２Ｂ）、ハンドル座１４及び補強部材１８Ａ（１８Ｂ）は溶接により一体化されている。なお、この例では、苗箱受け１１Ａ、１１Ｂが車体フレーム１２（補強部材１８Ａ、１８Ｂ）と苗箱受け１１Ａ、１１Ｂの両方に固定されているが、強度上の問題がなければ、車体フレーム１２のみ、又は苗箱受け１１Ａ、１１Ｂのみに溶接固定することもできる。
【００２１】
両端の連結フレーム１２Ａ、１２Ｂは、車体フレーム１２の一部である連結杆１９を間に挟み、連結フレーム１２Ａ、１２Ｂから連結杆１９へ貫通穴を設け、ボルト２０で固定をしており、ボルト２０をロックレバー２１で調節し、連結杆１９のネジ止め位置を変更することにより、車輪の輪距を調節することができる。
【００２２】
図２は苗箱運搬車のハンドル座拡大図である。左右対称の運搬車となっているため、片面部（Ａ側）のみの説明とし、もう片面部（Ｂ側）も同様の構成となっている。
図１、図２に示すように、ハンドル座１４は、略箱状の部材であり、金属板を曲げ成形した左右の側壁部１４Ａ、１４Ｂと底壁部からなる枠体と、枠体の側壁部間に溶接固定された前壁１４Ｃ及び後壁１５Ｄ、及び前壁と後壁間に固定された筒状のハンドル貫通部２６Ａからなり、車輪１３Ａ方向側面１４Ｂの後端部へ切欠部２２Ａを設け、ハンドル座１４前端部にはスタンド１６Ａの上端部が挿入されており、スタンド１６Ａとハンドル座１４がボルト２４Ａによりネジ止め固定されている。
【００２３】
前記ハンドル座１４の低壁部には、貫通穴２５Ａが開いており、該貫通穴２５Ａは苗代を走行する際に、溜まる泥土を外へ逃がす構成としている。
【００２４】
ハンドル１５Ａは軸部と前端の９０度屈曲した握り部からなり、ハンドル座１４に形成される筒状のハンドル貫通部２６Ａをハンドル１５Ａの軸部が貫通していることにより、ハンドル軸部が筒状のハンドル貫通部２６Ａに所定距離摺動自在に支持され、ハンドル１５Ａを車体下部に押し込んだ時に、後端が地面接地部となる。本発明では、ピン部材をリベット２７としており、ハンドル１５Ａの下端部へ軸方向に垂直に貫通穴（図示せず）を設け、リベット２７がハンドル１５Ａの軸部を貫通し、その先端が該軸部から突出（突出部２８Ａ、２８Ｂ）している。ハンドルを前方一杯に引き出し、ハンドルを回転させて握り部１５ａを車体の外側に回し、該リベット２７の突出部を切欠部２２Ａへ掛止させることにより、牽引時にハンドル１５Ａを固定することができる。
【００２５】
次に、上述した苗箱運搬車１０による苗箱運搬作業の一例を説明する。
（１）苗代の幅に合わせて車輪の距離を調節するために、ロックレバー２１を緩め、本体左側である連結フレーム１２Ａを持ち上げ、必要な幅に調節し、ロックレバーを締め付けることにより、左右の車輪の距離を所定範囲内で調節することができる。苗代へ入る際は、車体を持ち上げて入る方法と、車体を牽引する方法とがある。車体を牽引させる場合、ハンドル１５を作業者側（前方）に引き出し、ハンドル１５の握り部１５ａの先端を外側に向けることにより、リベット２７が切り欠き部２２Ａ（２２Ｂ）へ係止されることにより、牽引することができる。
（２）（１）の方法で苗代に入り苗箱運搬車１０を停止させ、ハンドル１５Ａ（１５Ｂ）の握り部１５ａを地面方向へ下向きにすることにより＜図３＞、切り欠き部２２Ａ（２２Ｂ）へ係止されているリベット２７が外れるので、ハンドル１５Ａ（１５Ｂ）を差し込むとハンドル収納状態となり、ハンドル１５の後端部１５ｂが地面へ接するので、安定性を保つことができる（図４参照）。
（３）前記停止中の苗箱運搬車１０の苗箱受け１１Ａ（１１Ｂ）へ苗箱を載置する。苗箱運搬車には一般に同時に４０枚程度（片側２０枚程度）載置できることが望まれている。
（４）苗箱を載置した後、苗代内を移動するため、ハンドル１５の握り部１５ａを地面方向へ下向きにしたまま引き出し＜図３（Ｂ）＞、最後まで引き出したら＜図３（Ａ）＞、握り部１５ａが外側になるように回転させる＜図１＞。握り部１５ａが外側へ回転し、リベット２７が切欠部２２へ係止させることにより、ハンドル１５Ａ（１５Ｂ）がハンドル座１４に固定され、牽引することができる。
（５）苗箱を並べる位置に到着したら、ハンドル１５Ａ（１５Ｂ）を回転させ、リベット２７と切り欠き部２２Ａ（２２Ｂ）の係止を外し収納状態（図４）とし、苗箱を苗代に並べていく。
（６）苗箱を並べ終わったら、ハンドル１５Ａ（１５Ｂ）を前方の牽引位置に引き出して移動させ次の並べ位置へ移動する。
（７）（４）〜（６）を繰り返す。
（８）苗箱受け１１Ａ（１１Ｂ）上の載置苗箱が空になれば苗箱運搬車１０を押して苗箱積置場所へ戻るか、機械を持ち上げて旋回させ苗箱積置場所まで戻す。
【００２６】
以上のように、ハンドル１５Ａ、１５Ｂを両端に設け、牽引時と収納時に両ハンドルを出し入れすることにより、牽引時には安定した走行ができ、収納時には、苗箱を載置したままでも、転倒の恐れが無く、ハンドルも作業者の邪魔にならないので、楽に作業をすることができる。
【００２７】
また、本発明の苗箱運搬車は上記形態に限定されるものではなく、例えば、苗箱受けの形状を変更し苗箱を１枚ずつ載置できるように複数の苗受けを両端へ積み重ねる構成とすることもできる。
【符号の説明】
【００２８】
１０              苗箱運搬車
１１Ａ、１１Ｂ    苗箱受け
１２Ａ、１２Ｂ    連結フレーム
１３Ａ、１３Ｂ    車輪
１４              ハンドル座
１５Ａ、１５Ｂ    ハンドル
１５ａ            ハンドル握り部
１５ｂ            ハンドル後端部
１６Ａ、１６Ｂ    スタンド
１７Ａ、１７Ｂ    車軸
１８Ａ、１８Ｂ    補強部材
１９              連結杆
２０              ボルト
２１              ロックレバー
２２Ａ            切欠部
２４Ａ            ボルト
２５Ａ            貫通穴
２６Ａ            ハンドル貫通部
２７              リベット
２８Ａ、２８Ｂ    リベット突出部
【図１】
2011207246.tif 000003
【図２】
2011207246.tif 000004
【図３】
2011207246.tif 000005
【図４】
2011207246.tif 000006
【図５】
2011207246.tif 000007